(57)【特許請求の範囲】
【請求項１】
天井に設けたレールに沿って走行する走行ローラ装置に、下部に螺合部を有する吊支杆を垂設し、前記螺合部に螺合する被螺合部を有し、かつ下端に拡径フランジを有する筒体の前記拡径フランジで、間仕切パネルの上部を支持するようにした移動間仕切パネルにおいて、
前記筒体の上端部に、複数個に分割された回り止め手段を外嵌し、該回り止め手段の内面下端部に形成された当接面を、前記筒体の上端に形成された非円形の工具係合部に係合するとともに、回り止め手段の分割された部分同士を締付手段により締付けて、前記回り止め手段の内周面を、前記吊支杆の外周面に締着したことを特徴とする移動間仕切パネルの吊支装置。
【請求項２】
回り止め手段の内周面を、吊支杆の外周面とほぼ補形をなす形状としたことを特徴とする請求項１記載の移動間仕切パネルの吊支装置。
【請求項３】
回り止め手段が、２個に分割されたものであることを特徴とする請求項１または２記載の移動間仕切パネルの吊支装置。
【請求項４】
複数に分割された回り止め手段のいずれかに、内端が吊支杆の外周面に圧接するようにした求心方向を向く止めねじを設けたことを特徴とする請求項１〜３のいずれかに記載の移動間仕切パネルの吊支装置。
【発明の詳細な説明】
【０００１】
【発明の属する技術分野】
本発明は、宴会場等の広い部屋を仕切る移動式の間仕切パネルを天井から吊支する装置に関する。
【０００２】
【従来の技術】
従来のこの種の吊支装置としては、例えば本出願人が出願している特開平１−１８０４４０号に記載されたものがある。
【０００３】
この間仕切りパネルでは、天井に設けたレールに沿って走行する走行ローラ装置に、下部に雄ねじを有する吊支杆を吊支し、この吊支杆の雄ねじに螺合する雌ねじを有するとともに、下端に拡径フランジが設けられた筒体を、間仕切パネルの上部枠材に上下方向に貫通させて、上記拡径フランジにより、上部枠材を支持するようにし、さらに吊支杆における筒体の上方に、リング状の止め金具を遊嵌してある。
【０００４】
筒体の上端の外周面には、互いに平行をなす１対の平削面が形成され、止め金具の下端の内周面には、平削面と係合しうる１対の当接面が形成されている。
【０００５】
筒体を回転させると、筒体は吊支杆に対して上下方向に移動し、筒の拡径フランジに支持されている間仕切パネルも、上下方向に移動する。
【０００６】
このようにして行われる間仕切りパネルの高さ調節作業後に、止め金具の当接面を吊支杆の平削面に係合させ、止め金具へ貫挿した止めねじの内端を吊支杆に締め付けると、吊支杆と筒体とは相対回転不能となる。
そのため、不意の外力が筒体に掛かったとしても、筒体が吊支杆に対して相対回転して、間仕切パネルの高さが変化することはない。
【０００７】
【発明が解決しようとする課題】
上述の吊支装置では、万一止め金具が破損したり、またはその止めねじ螺合用のねじ孔のねじ山が潰れたりした場合、吊支杆から筒体を完全に離脱させなければ、すなわち間仕切パネルを吊支杆から完全に外さなければ、止め金具を交換することができない。
【０００８】
また、装置の組付作業時においても、吊支杆に筒体を螺合して、間仕切パネルを吊支する前に、止め金具を吊支杆に予め装着しておかなければならず、吊支杆により間仕切パネルを吊支した後に、止め金具を吊支杆に装着することができず、組付作業が煩雑である等の問題がある。
【０００９】
本発明は、従来の技術が有する上述のような問題点に鑑みてなされたもので、吊支杆により間仕切パネルを吊支したままの状態で、回り止め手段を吊支杆に簡単に着脱することができるとともに、吊支杆と吊支杆に螺合する筒体の相対回転を、確実に阻止しうるようにした移動間仕切パネルの吊支装置を提供することを目的としている。
【００１０】
【課題を解決するための手段】
本発明によると、上記課題は、次のようにして解決される。
(１)  天井に設けたレールに沿って走行する走行ローラ装置に、下部に螺合部を有する吊支杆を垂設し、前記螺合部に螺合する被螺合部を有し、かつ下端に拡径フランジを有する筒体の前記拡径フランジで、間仕切パネルの上部を支持するようにした移動間仕切パネルにおいて、前記筒体の上端部に、複数個に分割された回り止め手段を外嵌し、該回り止め手段の内面下端部に形成された当接面を、前記筒体の上端に形成された非円形の工具係合部に係合するとともに、回り止め手段の分割された部分同士を締付手段により締付けて、前記回り止め手段の内周面を、前記吊支杆の外周面に締着する。
【００１１】
(２)  上記(１)項において、回り止め手段の内周面を、吊支杆の外周面とほぼ補形をなす形状とする。
【００１２】
(３)  上記(１)または(２)項において、回り止め手段を２個に分割されたものとする。
【００１３】
(４)  上記(１)〜(３)項のいずれかにおいて、複数に分割された回り止め手段のいずれかに、内端が吊支杆の外周面に圧接するようにした求心方向を向く止めねじを設ける。
【００１４】
【発明の実施の形態】
図１は、本発明の第１の実施形態(請求項１〜３に記載の発明の実施形態)を示すもので、(１)は、天井に取り付けた角筒状のレール、(２)は、レール(１)より吊支された移動式の間仕切パネルを示す。
【００１５】
レール(１)の内側には、走行ローラ装置(３)がローラ(４)により転動走行可能に支持されている。走行ローラ装置(３)の中心に穿設された上部に拡大孔(5a)を有する上下方向の段孔(５)には、上部を除く外周全体に雄ねじ(6a)が刻設された比較的長い吊支杆(６)が挿入され、その拡径頭部(6b)は、前記拡大孔(5a)に受止されている。
このようにして吊支杆(６)は、走行ローラ装置(３)に支承されている。
【００１６】
図１に上部だけを縦断して示す間仕切パネル(２)は、上端部に、上下に連結された、上向きコ字状のチャンネル部材(８)と下向きコ字状の上部枠材(７)とを備え、チャンネル部材(８)と外面の化粧板(９)(９)との間に石膏ボード(10)を挟んで壁面を形成したものである。
【００１７】
間仕切パネル(２)のほぼ全長にわたって延びる下向きコ字状の上部枠材(７)の内面には、所要の長さの上向きコ字形の補強部材(11)が嵌合固着されている。
吊支杆(６)は、チャンネル材(８)の底部(8a)の中央を貫通し、かつ上部枠材(７)の水平片(7a)及び補強部材(11)に穿設した大小の開口(12a)(12b)を通って下方に延びている。
【００１８】
上向きコ字形の補強部材(11)の底面には、前記開口(12b)を中心とする方形または円形の案内部材(13)が溶接されており、この案内部材(13)の中には、水平のスラスト軸受(14)が収容されている。
【００１９】
吊支杆(６)の雄ねじ(6a)には、垂直の筒体(15)の内面における雌ねじ(15a)が螺合されている。この筒体(15)も、上部枠材(７)及び補強部材(11)の開口(12a)(12b)を貫通し、筒体(15)の下端に形成した拡径フランジ(15b)は、スラスト軸受(14)の下面に当接している。
【００２０】
筒体(15)には、弾性材料よりなる外筒(16)が外嵌されており、さらに、この外筒(16)の外側には、スリーブ(17)が外嵌されている。外筒(16)の下端は補強部材(11)の上面により受けられ、外筒(16)の上端面には環状部材(18)が当接している。
【００２１】
筒体(15)の上端には、工具係合部として、平行する１対（または２対、もしくは６角柱のような３対とすることもある。）の平削面(15c)が形成されている(図２参照)。この平削面(15c)に、スパナ等の回転工具を噛み合わせて、筒体(15)を吊支杆(６)に対して回動させることにより、間仕切パネル(２)の高さ調節がなされる。
【００２２】
吊支杆(６)の雄ねじ(6a)の上端部には、２個のほぼ半円弧状の締付部材(19)(20)同士を、２個の止めねじ(21)(21)によって連結した回り止め手段(22)が嵌合されている。
【００２３】
一方の締付部材(19)の内周面には、雄ねじ(6a)の外形(ねじ山は無視)とほぼ補形をなす把持面(23)が形成されており、下端部の内面には、筒体(15)の平削面(15c)と係合しうる垂直な当接面(24)が形成されている。
他方の締付部材(20)の内周面にも、雄ねじ(6a)の外形(同上)とほぼ補形をなす把持面(25)が形成されており、下端部の内面には、平削面(15c)と係合しうる垂直な当接面(26)が形成されている。
【００２４】
間仕切パネル(２)の上端のチャンネル部材(８)内には、間仕切パネルの全長にわたって延びる第１及び第２の閉鎖部材(27)(28)が収容されている。第１の閉鎖部材(27)は、筒体(15)に遊嵌され、第２の閉鎖部材(28)は、第１の閉鎖部材(27)に外嵌され、第１の閉鎖部材(27)とともにチャンネル部材(８)より上方に出没することができる。
これら閉鎖部材(27)(28)は、高さ調節後の間仕切パネル(２)の上端と天井のレール(１)との間の隙間を閉鎖するものである。
【００２５】
次に、上述の吊支装置による間仕切パネルの高さ調節の操作を述べる。
まず、筒体(15)の上端の平削面(15c)にスパナを掛けて、筒体(15)を吊支杆(６)に対して回転させる。この回転は、筒体(15)がスラスト軸受(14)により間仕切パネル(２)に受けられているので、軽力で円滑に行うことができる。
通常、１枚の間仕切パネルは２つの吊支装置により吊り下げられているので、両方の吊支装置でこのような高さ調節を行う。
【００２６】
高さ調節完了後、回り止め手段(22)の当接面(24)(26)を、筒体(15)の平削面(15c)に係合させて、止めねじ(21)(21)を締め付けると、把持面(23)(25)が吊支杆(６)を把持するので、吊支杆(６)と筒体(15)との相対回転が阻止されるようになる。
【００２７】
このような本実施形態では、吊支杆(６)により間仕切パネル(２)を吊支したままの状態で、回り止め手段(22)を吊支杆(６)に簡単に着脱することができるとともに、回り止め手段(22)の内面に形成された把持面(23)(25)と吊支杆(６)との接触面積が大きいので、筒体(15)の吊支杆(６)に対する相対回転阻止力を大とすることができ、筒体(15)等に、不意の大きな外力が掛かっても、筒体(15)が回転することはなく、間仕切パネル(２)の高さの偶発的な変化を、確実に阻止できる。
【００２８】
図３及び図４は、本発明の第２の実施形態(請求項４に記載の発明の実施形態)を示す。なお、第１の実施形態と同様の部材には、同一の符号を付して図示するに止め、それらについての詳細な説明は省略する。
本実施形態においては、第１の実施形態におけるのと同様の回り止め手段(22)の一方の締付部材(20)のほぼ中央に、内端が吊支杆(６)の外周面に圧接するようにした求心方向を向く止めねじ(30)を設け、この止めねじ(30)を締め込むことにより、筒体(15)を吊支杆(６)に対してより強力に回り止めすることができるようにしている。
【００２９】
【発明の効果】
本発明によれば、以下の効果を奏することができる。
(ａ)  請求項１記載の発明によれば、吊支杆により間仕切パネルを吊支したままの状態で、回り止め手段を吊支杆に簡単に着脱することができるので、万一、回り止め手段が破損したり、またはその止めねじ螺合用のねじ孔のねじ山が潰れたりした場合でも、、吊支杆から筒体を完全に離脱させることなく、すなわち間仕切パネルを吊支杆から完全に外すことなく、回り止め手段を簡単に交換することができるとともに、装置の組付作業時においても、吊支杆により間仕切パネルを吊支した後に、回り止め手段を吊支杆に簡単に装着することができ、作業性を向上することができる。
【００３０】
(ｂ)  同じく、回り止め手段の内周面と吊支杆の外周面との接触面積を大きくすることができるので、回り止め手段を吊支杆と筒体とに締着した際の、筒体の吊支杆に対する相対回転阻止力を大とすることができる。
よって、筒体等に、不意の大きな外力が掛かっても、筒体が回転することはなく、間仕切パネルの高さの偶発的な変化を確実に阻止できる。
【００３１】
(ｃ)  請求項２記載の発明によれば、回り止め手段の回転阻止力を増大させることができる。
【００３２】
(ｄ)  請求項３記載の発明によれば、回り止め手段の吊支杆への着脱や、回り止め手段の締付け作業が容易となる。
【００３３】
(ｅ)  請求項４記載の発明によれば、締付手段による回り止め手段の分割された部分同士の締付作用と、止めねじによる締付作用との両方により、筒体を吊支杆に対して強力に回り止めすることができる。
【図面の簡単な説明】
【図１】本発明の第１の実施形態の縦断面図である。
【図２】図１に示す吊支装置の筒体の上部とその上端に係合する回り止め手段との分解斜視図である。
【図３】本発明の第２の実施形態における、図２と同様の分解斜視図である。
【図４】同じく、要部の縦断面図である。
【符号の説明】
(１)レール
(２)間仕切パネル
(３)走行ローラ装置
(４)ローラ
(５)段孔
(5a)拡大孔
(６)吊支杆
(6a)雄ねじ(螺合部)
(6b)頭部
(７)上部枠材
(7a)水平片
(８)チャンネル部材
(8a)底部
(９)化粧板
(10)石膏ボード
(11)補強部材
(12a)(12b)開口
(13)案内部材
(14)スラスト軸受
(15)筒体
(15a)雌ねじ(被螺合部)
(15b)拡径フランジ
(15c)平削面(工具係合部)
(16)外筒
(17)スリーブ
(18)環状部材
(19)(20)締付部材
(21)止めねじ(締着手段)
(22)回り止め手段
(23)把持面(内周面)
(24)当接面
(25)把持面(内周面)
(26)当接面
(27)(28)閉鎖部材
(30)止めねじ
【図１】
0003541364.tif 000002
【図２】
0003541364.tif 000003
【図３】
0003541364.tif 000004
【図４】
0003541364.tif 000005